(57)【要約】  【課題】  温風暖房機における着火、消火時の臭気の効率的な捕集とマイナスイオン発生による室内環境の改善により、快適性の高い暖房装置を提供する。  【解決手段】  本体背面に設けた送風ファン１５と、燃料を気化して燃焼させる燃焼部１１と、この燃焼部１１を覆い上方に開口部を有する燃焼筒１２と、この燃焼筒１２を覆い前記送風ファン１５からの室内空気と燃焼ガスを混合し温風経路を形成するダクト１３と、このダクト１３からの温風を室内に排出する第１吹出口１４と、前記第１吹出口１４より上方に設け前記ダクト１３に連通させた第２の吹出口１８とを備え、前記ダクト１３には第２の吹出口１８と連通した連通口１３ａを設け、この連通口１３ａの下流側にマイナスイオン発生手段１６を配設するとともに、前記マイナスイオン発生手段１６と第２吹出口１８の間に未燃ガス吸着体１９を配設してある。【選択図】  図１
2005069651.tif 000002
【特許請求の範囲】
【請求項１】
本体背面に設けた送風ファンと、燃料を気化して燃焼させる燃焼部と、この燃焼部を覆い上方に開口部を有する燃焼筒と、この燃焼筒を覆い前記送風ファンからの室内空気と燃焼ガスを混合し温風経路を形成するダクトと、このダクトからの温風を室内に排出する第１吹出口と、前記第１吹出口より上方に設け前記ダクトに連通させた第２の吹出口とを備え、前記ダクトには第２の吹出口と連通した連通口を設け、この連通口の下流側にマイナスイオン発生手段を配設するとともに、前記マイナスイオン発生手段と第２吹出口の間に未燃ガス吸着体を配設した暖房装置。
【請求項２】
マイナスイオン発生手段と第２吹出口の間に設けた未燃ガス吸着体に触媒を担持させた請求項１記載の暖房装置。
【請求項３】
燃焼部の着火時、消火時に送風ファンを停止し、燃焼部で発生した燃焼ガスがドラフトにより第２吹出口から排出するように構成した請求項１または２記載の暖房装置。
【請求項４】
マイナスイオン発生手段と第２吹出口の間に設けた未燃ガス吸着体は、流路抵抗が少なくなるハニカム形状にするとともに、前記マイナスイオン発生手段に対して傾斜を有して取り付け、ハニカム状開口の延長線上に第２吹出口とマイナスイオン発生手段が重ならないように配設した請求項１〜３のいずれか１項記載の暖房装置。
【請求項５】
ダクトと第２吹出口の連通路に所定の開口を有した遮熱板を配設した請求項１〜４のいずれか１項記載の暖房装置。
【発明の詳細な説明】
【技術分野】
【０００１】
本発明は、室内空気と高温ガスを混合した暖房に用いる暖房装置に関するものである。
【背景技術】
【０００２】
従来のこの種の暖房装置は図３に示すように、タンク１にカートリッジタンク２から燃料が供給され、同タンク１の燃料はポンプ３によって気化部４に供給される。そしてこの気化部４で気化されて燃料ガスとなり、燃焼部５へ供給され、そこで燃焼される。生じた燃焼ガスは、燃焼部５の周囲を覆うように配設された燃焼筒６で上方へ導かれ、上記燃焼筒６を覆ったダクト７で送風機８からの室内空気流と混合され、温風として排出されて暖房に利用される。
【０００３】
そして、上記のような暖房機において、近年、室内環境の改善を目的としてマイナスイオンを発生する機能を内蔵した機器が開発されており、その具体的手段はマイナスイオンを発生する物質、例えば複合セラミックを送風経路に設けたものが主流である（例えば、特許文献１参照）。
【特許文献１】特開平１１−２１１２３６号公報
【発明の開示】
【発明が解決しようとする課題】
【０００４】
しかしながら上記のマイナスイオン発生手段を設けていない温風暖房装置は、主に冬場の室内の暖房に使われるため、締め切った部屋で長時間使われて、室内環境としては、室内温度は設定した温度に保たれるものの、空質という面ではあまりよくない場合の使われ方が多く、ホコリっぽかったり、炭酸ガス等が増え、つまり、室内の空気に含まれる、喫煙成分、臭気、ホルムアルデヒド等のＶＯＣ、その他の化学物質、一酸化炭素、二酸化炭素、オゾン、細菌・かび・ウイルスといった微生物の蓄積、またそして、マイナスイオンの減少などが生じるという悪環境での使われ方をなされる場面が多々想定された。
【０００５】
また、上述の従来例の暖房熱源を燃焼熱を用いたものにおいては、燃焼の炎プラズマ効果によって、多量のプラスイオンとマイナスイオンをほぼ同量発生するが、マイナスイオンは室内のホコリ等によって早く消失するので、結果的に、室内のプラスイオンとマイナスイオンのバランスが崩れ、プラスイオンとマイナスイオンのイオン比が大きくなり過ぎていまい、室内温度は設定した温度に保たれるものの、室内環境が悪化する心配があった。
【０００６】
また、温風吹出口にマイナスイオンを発生する物質を取り付けたものにあっては、所定量のマイナスイオンを確保しようとする場合、かなり大きな容積を必要とし温風吹出口全体にマイナスイオンを発生する物質を配設することになる。この場合、温風吹出口で風路抵抗が増大し適正な風量が確保できなくなったり、機器内の温度が異常に上昇する等の問題が発生する。
【０００７】
そこで本発明は、ダクトからの温風を室内に排出する第１吹出口より上方に設け、前記ダクトに連通させた第２吹出口から空気流の一部を排出して、室内全体をより均一に暖房するとともに、マイナスイオンを効率よく多量に発生させ補充することで、プラスイオンとマイナスイオンのバランスを改善させ、かつ、着火時と消火時の臭気を低減させて、室内空気を高品位に保ちつつ室内全体も暖房することのできる快適性の高い暖房装置の実現を目的としたものである。
【課題を解決するための手段】
【０００８】
本発明は上記課題を解決するため、本体背面に設けた送風ファンと、燃料を気化して燃焼させる燃焼部と、この燃焼部を覆い上方に開口部を有する燃焼筒と、この燃焼筒を覆い前記送風ファンからの室内空気と燃焼ガスを混合し温風経路を形成するダクトと、このダクトからの温風を室内に排出する第１吹出口と、前記第１吹出口より上方に設け前記ダクトに連通させた第２の吹出口とを備え、前記ダクトには第２の吹出口と連通した連通口を設け、この連通口の下流側にマイナスイオン発生手段を配設するとともに、前記マイナスイオン発生手段と第２吹出口の間に未燃ガス吸着体を配設した構成としてある。
【０００９】
上記発明によれば、第１吹出口に加え第２吹出口を追加して設けてあるので、送風機からの室内空気流の排出面積が増加して通気抵抗が減少し、その分、送風機の室内空気を吸い込む能力、すなわち送風機の送風量が増大するようになり、室内の気流分布及び温度分布の均一化が促進され、快適性が向上する。
【００１０】
また、第２吹出口と連通した連通口の下流側にマイナスイオン発生手段を配設してあるので、閉め切った部屋で長時間使用されてもマイナスイオンが補充され、プラスイオンとマイナスイオンの比が大きくなりすぎるのを防止でき、室内空気を高品位に保ちつつ室内全体も暖房することのできる。
【００１１】
さらに、空気流路の適所にマイナスイオン発生手段を配設してあるので、マイナスイオン発生手段から放出されたマイナスイオンを温風によって部屋全体にまで到達させることができるようになり、マイナスイオン効果をより効果的に発揮することができる。
【００１２】
また、マイナスイオン発生手段と第２吹出口の間に未燃ガス吸着体を配設してあるので、着火時、消火時に発生する未燃ガスを効果的に吸着させることができ、臭気低減効果も兼ね備えたものとなり、使用感が向上する。
【発明の効果】
【００１３】
以上のように本発明によれば、第１吹出口に加え第２吹出口を追加して設けてあるので、送風機からの室内空気流の排出面積が増加して通気抵抗が減少し、その分、送風機の室内空気を吸い込む能力、すなわち送風機の送風量が増大するようになり、室内の気流分布及び温度分布の均一化が促進され、快適性が向上する。
【００１４】
また、第２吹出口と連通した連通口の下流側にマイナスイオン発生手段を配設してあるので、閉め切った部屋で長時間使用されてもマイナスイオンが補充され、プラスイオンとマイナスイオンの比が大きくなりすぎるのを防止でき、室内空気を高品位に保ちつつ室内全体も暖房することのできる。
【００１５】
さらに、空気流路の適所にマイナスイオン発生手段を配設してあるので、マイナスイオン発生手段から放出されたマイナスイオンを温風によって部屋全体にまで到達させることができるようになり、マイナスイオン効果をより効果的に発揮することができる。
【００１６】
また、マイナスイオン発生手段と第２吹出口の間に未燃ガス吸着体を配設してあるので、着火時、消火時に発生する未燃ガスを効果的に吸着させることができ、臭気低減効果も兼ね備えたものとなり、使用感が向上する。
【発明を実施するための最良の形態】
【００１７】
請求項１記載の暖房装置は、本体背面に設けた送風ファンと、燃料を気化して燃焼させる燃焼部と、この燃焼部を覆い上方に開口部を有する燃焼筒と、この燃焼筒を覆い前記送風ファンからの室内空気と燃焼ガスを混合し温風経路を形成するダクトと、このダクトからの温風を室内に排出する第１吹出口と、前記第１吹出口より上方に設け前記ダクトに連通させた第２の吹出口とを備え、前記ダクトには第２の吹出口と連通した連通口を設け、この連通口の下流側にマイナスイオン発生手段を配設するとともに、前記マイナスイオン発生手段と第２吹出口の間に未燃ガス吸着体を配設した構成に特徴を有するものである。
【００１８】
そして、第１吹出口に加え第２吹出口を追加して設けてあるので、送風機からの室内空気流の排出面積が増加して通気抵抗が減少し、その分、送風機の室内空気を吸い込む能力、すなわち送風機の送風量が増大するようになり、室内の気流分布及び温度分布の均一化が促進され、快適性が向上する。
【００１９】
また、第２吹出口と連通した連通口の下流側にマイナスイオン発生手段を配設してあるので、閉め切った部屋で長時間使用されてもマイナスイオンが補充され、プラスイオンとマイナスイオンの比が大きくなりすぎるのを防止でき、室内空気を高品位に保ちつつ室内全体も暖房することのできる。
【００２０】
さらに、空気流路の適所にマイナスイオン発生手段を配設してあるので、マイナスイオン発生手段から放出されたマイナスイオンを温風によって部屋全体にまで到達させることができるようになり、マイナスイオン効果をより効果的に発揮することができる。
【００２１】
また、マイナスイオン発生手段と第２吹出口の間に未燃ガス吸着体を配設してあるので、着火時、消火時に発生する未燃ガスを効果的に吸着させることができ、臭気低減効果も兼ね備えたものとなり、使用感が向上する。
【００２２】
また、請求項２記載の暖房装置は、マイナスイオン発生手段と第２吹出口の間に設けた未燃ガス吸着体に触媒を担持させたことを特徴とするものである。
【００２３】
そして、マイナスイオン効果で活性化させた触媒により、着火時、消火時に発生する未燃ガスの吸着性能はさらに向上し、臭気低減効果も増大される。
【００２４】
また、請求項３記載の暖房装置は、燃焼部の着火時、消火時に送風ファンを停止し、燃焼部で発生した燃焼ガスがドラフトにより第２吹出口から排出するように構成したものである。
【００２５】
そして、着火時、消火時に送風ファンを一時的に停止することで、燃焼部で発生した燃焼ガスはダクトより出た後、ドラフト作用で第２吹出口から室内に排出されることになり、この排出経路に設けた未燃ガス吸着体によって臭気のもとになる未燃ガスを効率的に捕集することができ、臭気低減が図れる。
【００２６】
また、請求項４記載の暖房装置は、マイナスイオン発生手段と第２吹出口の間に設けた未燃ガス吸着体は、流路抵抗が少なくなるハニカム形状にするとともに、前記マイナスイオン発生手段に対して傾斜を有して取り付け、ハニカム状開口の延長線上に第２吹出口とマイナスイオン発生手段が重ならないように配設したことを特徴とするものである。
【００２７】
そして、第２吹出口より異物を侵入させた場合でも直接、マイナスイオン発生手段に触れることがなく、安全性が確保される。また、ほこり等もマイナスイオン発生手段近傍に侵入しづらく、ほこり付着によるマイナスイオン発生手段の性能低下も抑制することができる。
【００２８】
また、請求項５記載の暖房装置は、ダクトと第２吹出口の連通路に所定の開口を有した遮熱板を配設したことを特徴とするものである。
【００２９】
そして、遮熱板を設けることにより燃焼時の高温ガスによる輻射熱の影響を軽減することができ、マイナスイオン発生手段及び未燃ガス吸着体の温度上昇を抑えるとともに、遮熱板に所定の開口を設けているため、燃焼中において前記開口より送風ファンから供給される室内空気を吸着体に流すことができ、マイナスイオン発生手段及び吸着体の温度をより低温に保つことができるため、マイナスイオン発生手段の経年的な性能の安定化と、消火時における高い吸着性能を確保することが可能となる。
【実施例】
【００３０】
以下、本発明の一実施例について図面を用いて説明する。
【００３１】
図１は本発明の一実施例の暖房装置の断面図、図２は制御ブロック図である。図１において、１１は燃料を燃焼させるバーナで、このバーナ１１で生じた燃焼排ガスを上方へ導くように配設した燃焼筒１２で覆われている。
【００３２】
１３は燃焼筒１２を覆い室内空気と燃焼ガスを混合して第１の吹出口１４に導く温風経路を形成するダクトで、本体背面には室内空気を吸引し、ダクト１３内に供給する送風ファン１５を備えている。この送風ファン１５から導入される室内空気と燃焼部１１から発生する高温ガスが燃焼筒１２の開口部１２ａより排出された後、混合され、第１の吹出口１４より温風となって排出される。
【００３３】
また、ダクト１３には前記燃焼筒１２の開口部１２ａより上方に連通口１３ａが設けてあり、その下流側にマイナスイオン発生手段１６を配設し、それと対向するパネル１７には前記ダクト１３の連通口１３ａに連通した第２の吹出口１８が設けてある。
【００３４】
そして、マイナスイオン発生手段１６と第２の吹出口１８の間には、ハニカム状の吸着体１９が設けてあり、この吸着体１９には、例えば酸化チタン等の触媒を担持してある。さらに、このマイナスイオン発生手段１６は第２の吹出口１８から異物を侵入させた場合でも直接、マイナスイオン発生手段１６に触れることがないように、ハニカム状開口の延長線上に第２吹出口１８とマイナスイオン発生手段１６が重ならないように傾斜させて配設してある。
【００３５】
また、ダクト１３の上方に設けた連通口１３ａの上流側には所定の開口を有した遮熱板２０を配設してある。２１は制御部で、室温や操作部で設定された運転条件等に基づいて送風ファン１５や燃焼部１１の燃焼条件を予め決められたシーケンスで制御するようにしている。
【００３６】
上記した構成において、燃焼部１１で生じた高温の燃焼排ガスは燃焼筒１２の上方へ流れていき、ダクト１３内で送風ファン１５からの室内空気流と混合され、第１の吹出口１４より温風として排出されて暖房に利用される。
【００３７】
また、送風ファン１５からの空気流の一部は連通口１３ａより取り出され、第２吹出口１８より排出されるが、その過程でマイナスイオン発生手段１６によってマイナスイオンが付加され、そして、触媒を担持した吸着体１９を通過するときに空気浄化される。
【００３８】
そして、制御部２１は室温や操作部で設定された運転条件等に基づいて送風ファン１５や燃焼部１１の燃焼条件を予め決められたシーケンスで制御し、特に、着火時と消火時には、一時的に送風ファン１５を停止して、燃焼部１１で発生した未燃ガスがドラフトで第２の吹出口１８より排出するようにしてある。
【００３９】
ここで、第１の吹出口１４に加えて第２の吹出口１８を追加して設けてあるので、送風ファン１５からの室内空気流の排出面積が増加して通気抵抗が減少し、その分、送風ファン１５の室内空気を吸い込む能力、すなわち送風ファン１５の送風量が増大するようになり、室内の気流分布及び温度分布の均一化が促進され、快適性が向上する。
【００４０】
また、第２吹出口１８と連通した連通口１３ａの下流側にマイナスイオン発生手段１６を配設してあるので、閉め切った部屋で長時間使用されてもマイナスイオンが補充され、プラスイオンとマイナスイオンの比が大きくなりすぎるのを防止でき、室内空気を高品位に保ちつつ室内全体も暖房することのできる。
【００４１】
さらに、空気流路の適所にマイナスイオン発生手段１６を配設してあるので、マイナスイオン発生手段１６から放出されたマイナスイオンを温風によって部屋全体にまで到達させることができるようになり、マイナスイオン効果をより効果的に発揮することができる。
【００４２】
また、マイナスイオン発生手段１６と第２吹出口１８の間に未燃ガス吸着体１９を配設してあるので、着火時、消火時に発生する未燃ガスを効果的に吸着させることができ、臭気低減効果も兼ね備えたものとなり、使用感が向上する。
【００４３】
さらに、前記未燃ガス吸着体１９は触媒を担持することで、マイナスイオン発生手段１６より発生するマイナスイオンにより活性化されて、より吸着性能が高められ、空気浄化性能が向上する。
【００４４】
そして、着火時と消火時に一時的に送風ファン１５を停止させ、第１吹出口１４への燃焼ガスの流れを止め、ドラフト作用で連通口１３ａより第２吹出口１８へ燃焼ガスを導くことで、臭気低減効果をさらに高めることができる。
【図面の簡単な説明】
【００４５】
【図１】本発明の一実施例の暖房装置の断面図
【図２】同装置の制御ブロック図
【図３】従来の暖房装置の断面図
【符号の説明】
【００４６】
１１  バーナ
１２  燃焼筒
１２ａ  燃焼筒開口部
１３  ダクト
１３ａ  連通口
１４  第１の吹出口
１５  送風ファン（送風手段）
１６  マイナスイオン発生手段
１８  第２の吹出口
１９  未燃ガス吸着体
２０  遮蔽板
【図１】
2005069651.tif 000003
【図２】
2005069651.tif 000004
【図３】
2005069651.tif 000005